(57)【要約】【課題】  包装箱において、包装箱を隙間なくトラックや船に積み込んで輸送した時に、包装箱にかかる横方向や上下方向からの力に対しても箱外壁面に施された印刷部位が損傷するのを防ぐことを目的とする。【解決手段】  この発明に係る包装箱において、印刷部位を有する箱外壁面と、被包装物を収容した場合に用いる緩衝ブロックが当接する箱内壁面に対向する前記箱外壁面の表面上に貼り付けられた透明テープとを備え、包装箱に横方向や上下方向からの力が加わった場合に、箱外壁面の最も摩擦力が発生する部分において透明テープ同士が擦れる構成とする。【選択図】        図１
2005271989.tif 000002
【特許請求の範囲】
【請求項１】
印刷部位を有する箱外壁面と、被包装物を収容した場合に用いる緩衝ブロックが当接する箱内壁面に対向する前記箱外壁面の表面上に貼り付けられた透明テープを備えたことを特徴とする包装箱。
【請求項２】
前記透明テープは、前記箱外壁面に連なる他の箱外壁面との表面上端部に貼り付けられたものであることを特徴とする請求項１に記載の包装箱。
【請求項３】
印刷部位を有する箱外壁面と、被包装物を収容した場合に用いる緩衝ブロックが当接する箱内壁面に対向する前記箱外壁面の表面上に貼り付けられた透明テープを備えたことを特徴とする包装箱用展開体。
【請求項４】
前記透明テープは、前記箱外壁面に連なる他の箱外壁面との表面上端部に貼り付けられたものであることを特徴とする請求項３に記載の包装箱用展開体。
【発明の詳細な説明】
【技術分野】
【０００１】
本発明は、電化製品等の包装に用いられる包装箱に関するものである。
【背景技術】
【０００２】
一般的な包装箱においては、被包装物である電化製品等の製品名や型名、バーコード、更には当該製品の特徴や製造会社名等の記載がフレキソ印刷、グラビア印刷等の印刷方法により、箱外壁面に印刷されている。このような印刷部位を箱外壁面に備え、箱内において緩衝ブロックによりコーナーを固定された電化製品を収容した包装箱を隙間なくトラックや船に積み込んで輸送した場合、箱外壁面同士が接触した状態において揺れや振動が発生すると、摩擦力によって箱外壁面が擦れてしまうため、印刷部位が汚れたり剥がれてしまったりすることがある。また、コンテナ内の湿気が温度環境等の変化により結露してしまい、印刷部位に水滴として残ると、特に包装材が紙であれば表紙同士がくっついてしまい、この状態で当該部分に上下方向の力が加われば、容易に印刷部位が破れたりしてしまう。この問題の対策として、従来の包装箱においては、包装箱の表裏両面に耐水性皮膜をコーティングすることで、印刷部位が擦れたり、水滴が付いたりするのを防止する技術が紹介されている（例えば、特許文献１参照）。また、摩擦抵抗を上げて、箱の滑りを防止するように滑り止めインキを混入して箱外壁面に塗布する技術も採用されている（例えば、特許文献２参照）。
【０００３】
【特許文献１】特開２００３−１４６３２６号公報（図５）
【０００４】
【特許文献２】特開２０００−１２８１５６号公報（図１）
【発明の開示】
【発明が解決しようとする課題】
【０００５】
ところが、従来例の包装箱は上述のように耐水性を備えた皮膜を表面加工する必要があるため、包装箱の製造コストが上がってしまうという問題があった。また、包装箱の使用後において、リサイクル処理を行う場合に包装紙と耐水皮膜の分離に手間が掛かるという問題があった。一方、滑り止めインキを塗布した場合でも、数段積み重ねられた包装箱のうち上段の包装箱は、傾き転倒し易く、特に、緩衝ブロックが箱内壁面と当接する部分には最も強い押圧力が加わるため、当該部分に対向する箱外壁面に施された印刷部位の汚れや剥がれを百パーセント阻止することは実際問題として不可能であった。
【０００６】
この発明は上記の課題を解決するためになされたものであり、梱包箱において、印刷部位を有する箱外壁面と、被包装物を収容した場合に用いる緩衝ブロックが当接する箱内壁面に対向する前記箱外壁面の表面上に貼り付けられた透明テープを備え、包装箱を隙間なくトラックや船に積み込んで輸送した場合に、包装箱に加わる横方向や上下方向からの力に対しても箱外壁面の印刷部位が損傷するのを防止可能な包装箱を得ることを目的とする。
【課題を解決するための手段】
【０００７】
この発明に係る包装箱において、被包装物を表示し識別するための画柄、文字等を示す印刷部位を有する箱外壁面と、被包装物を収容した場合に用いる緩衝ブロックが当接する箱内壁面に対向する前記箱外壁面の表面上に貼り付けられた透明テープとを備え、包装箱に横方向や上下方向からの力が加わった場合に、最も強い摩擦力が発生する緩衝ブロックの当接する箱内壁面に対向する前記箱外壁面の表面部分において、透明テープ同士が擦れる構成とする。
【発明の効果】
【０００８】
このように構成した包装箱においては、被包装物を収容した場合に用いる緩衝ブロックが箱内壁面と当接する面と対向する箱外壁面の領域上に施された印刷部位と、この当該印刷部位に貼り付けられた透明テープを備え、包装箱に横方向や上下方向からの力が加わった場合に、箱外壁面の最も摩擦力が発生する部分において透明テープ同士が擦れる構成としたため、当該部分における印刷部位が直接擦れることを防止できる。また、上からの重圧による縦折目線の破れを防止することができる。
【発明を実施するための最良の形態】
【０００９】
実施の形態１．
図１は、この発明の実施の形態１に係る包装箱の組立後の構成を示す斜視図である。
【００１０】
図２は、図１に示す包装箱を開梱して非包装物を取り出した状態を示す斜視図である。
【００１１】
図３は、図１に示す包装箱の一部を拡大した図である。
【００１２】
図４は、図１に示す包装箱の組立前の展開体を示す図である。
【００１３】
図５は、図１に示す包装箱同士を積み重ねた状態を示す斜視図である。
【００１４】
図６は、図５に示す包装箱のＡＡ線上の断面図である。
【００１５】
図７は、図６に示す包装箱に振動を与えた状態の動作を示す側面の拡大断面図である。
【００１６】
図１において、包装箱１は、四つの側面２と天面３、底面４を有している。この四つの側面２のうち、前面２１には被包装物５であるテレビを表示し識別するための画柄、文字等を示す印刷部位６ａが面の全体に亘り施されている。また、側面２２にはバーコード他を示す印刷部位６ｂが施されている。天面３は、内フラップシート３１と、この内フラップシート３１に重なり合う外フラップシート３２とにより構成されている。前面２１と側面２２とは縦折目線７ａを挟んで繋がっている。また前面２１と内フラップシート３１とは横折目線８ａを挟んで繋がっており、側面２２と外フラップシート３２とは横折目線８ｂを挟んで繋がっている。透明テープ９ａは、図３に示すように縦折目線７ａを挟んで、前面２１と内フラップシート３１とが連接する横折目線８ａ及び側面２２と外フラップシート３２とが連接する横折目線８ｂに沿って、前面２１及び側面２２の上方角部に貼付けられている。この透明テープ９ａが前面２１において貼り付けられている部分は、前面２１の上方右角部に点線にて表された領域１０ａにあるものとする。また、透明テープ９ａが側面２２において貼り付けられている部分は、側面２２の上方左角部に点線にて表された領域１０ｂにあるものとする。透明テープ９ｂは、側面２２と後面２３とに連接する縦折目線７ｂを挟んで、透明テープ９ａと同様に横折目線８ｂに沿って側面２２の上方右角部及び後面２３の上方左角部に貼り付けられている。この透明テープ９ｂが側面２２において貼り付けられている部分は、側面２２の上方右角部に点線にて表された領域１０ｃにあるものとする。透明テープ９ｃは、前面２１と側面２４とに連接する縦折目線７ｃを挟んで、同様に横折目線８ａに沿って前面２１の上方左角部及び側面２４の上方右角部に貼り付けられている。この透明テープ９ｃが前面２１において貼り付けされている部分は、前面２１の上方左角部に点線にて表された領域１０ｄにあるものとする。
【００１７】
この領域１０ａ及び領域１０ｂは、図２に示すように包装箱１内に収容されるテレビ５が外部からの衝撃によって揺動したり損傷したりしないようテレビ５のコーナー５１に備えられる緩衝ブロック１１が前面２１の箱内壁面と当接する面１１ａの領域及び側面２２の箱内壁面と当接する面１１ｂの領域と各々対応している。また、領域１０ｃも同様に、包装箱１内に収容されるテレビ５のコーナー５２に備えられる緩衝ブロック１１が側面２２の箱内壁面と当接する面１１ｃの領域に対応しており、領域１０ｄは、同じくテレビ５のコーナー５３に備えられる緩衝ブロック１１が前面２１の箱内壁面と当接する面１１ｄの領域に対応している。緩衝ブロック１１をテレビ５のコーナーに備える理由は、緩衝ブロック１１をテレビ５の上部全体を覆うように備えたのでは、包装箱１全体の重量を少なくして開梱後のゴミ資源を減らすことができないからである。
【００１８】
また、図１に示すように、印刷部位６ａは領域１０ａ、領域１０ｄ上にも施されており、印刷部位６ｂは領域１０ｂ及び領域１０ｃ上にも施されているものとする。
【００１９】
この実施の形態１における透明テープ９には、市販のポリプロピレンフィルム粘着テープやビニクロステープ、セロテープ等を用いる。また、緩衝ブロック１１には、発泡スチロールやダンボール、パルプモールド等を用いる。包装箱の包装材としては、プラスチックや紙、ガラス、アルミ・スチールといった金属製のものが挙げられる。これらは全て公知のものである。
【００２０】
図４において、展開体１２は図１に示す包装箱１の組立前の状態を示しており、テレビ５のコーナー５１に備えられる緩衝ブロック１１が前面２１及び側面２２の箱内壁面に当接する部分に対応する領域１０ａ及び領域１０ｂには透明テープ９ａが貼り付けられている。テレビ５のコーナー５２に備えられる緩衝ブロック１１が側面２２及び後面２３の箱内壁面に当接する部分に対応する領域１０ｃ及び領域１０ｅには透明テープ９ｂが貼り付けられている。テレビのコーナー５３に備えられる緩衝ブロック１１が前面２１及び側面２４の箱内壁面に当接する部分に対応する領域１０ｄ及び領域１０ｆには透明テープ９ｃが貼り付けられている。また、テレビのコーナー５４に備えられる緩衝ブロック１１が側面２４及び後面２３の箱内壁面に当接する部分に対応する領域１０ｇ及び領域１０ｈには透明テープ９ｄが貼り付けられている。図４に示すように印刷部位６ｃは領域１０ｅ、領域１０ｈ上に施されており、印刷部位６ｄは領域１０ｆ、領域１０ｇ上に施されているものとする。
【００２１】
このように構成された包装箱１同士を図５のように隙間が生じないようにして積み重ねた場合、一般的に、包装箱１の前面２１と隣り合う他の包装箱１の前面２１又は後面２３とが面全体において接した状態となる。このとき、双方の面の上方角部には透明テープ９が貼り付けられているため、包装箱１の前面２１に備えられた透明テープ９ａ及び透明テープ９ｃは、他の包装箱１の前面２１又は後面２３に貼り付けられた透明テープ９と、その表面同士が接することとなる。
【００２２】
この状態において、図６に示すように包装箱１の横方向から力Ｐ１を、この力Ｐ１の反対方向から他の包装箱１に力Ｐ２同時に加えた場合、力Ｐ１及び力Ｐ２は箱内において一体的に形成された剛体である緩衝ブロック１１及びテレビ５を伝わるため、側面２を介して緩衝ブロック１１同士が対向する上方角部において最も強い押圧力が発生することとなる。緩衝ブロック１１を備えない部分では側面２との間が空隙１３となっており、例え側面２の中央部が凸状に反っていたとしても、横方向からの力Ｐ１及び力Ｐ２は伝わらず、上方角部において発生する押圧力と比べれば殆ど無視し得る。また、一般的に緩衝ブロック１１はテレビ５の底面４側にも備えられるが、図５に示すように包装箱を積み重ねた状態において、横方向からの力Ｐ１及び力Ｐ２は輸送中の揺れによって加わる力に相当するところ、テレビ５の重量により包装箱の下の方が固定されると、底面４の稜線を支点として動くため、特に上段に積まれた包装箱１にあっては、最も強い押圧力が発生するのは側面２の下方において緩衝ブロック１１同士が対向する部分ではなく、上方角部となる。
【００２３】
次に、包装箱１に対して下方向の力Ｐ３を、他の包装箱１に対して上方向の力Ｐ４をそれぞれ加えた場合、前面２１との接触位置がずれるため、印刷部位６ａは擦れてしまう。このとき、横方向からの押圧力が最も加わる領域１０ａ及び１０ｄに施された印刷部位６ａにおいて、摩擦力が強く発生する。これは、面同士を擦るときに生じる摩擦力は、当該面に対する垂直抗力に摩擦係数を乗じた値によって算出されるからである。領域１０ａ及び領域１０ｄ以外の前面２１においては、箱内壁面とテレビ５との間に空隙１３があるため、上述の説明の通り垂直抗力は殆ど無視出来るレベルであることから、当該部分に施された印刷部位６ａに対して強い摩擦力は発生しない。ここで、この実施の形態１に係る発明においては、領域１０ａ及び領域１０ｄ上に透明テープ９ａ及び透明テープ９ｃを貼り付けているため、図７に示すように領域１０ａ及び領域１０ｄに施された印刷部位６ａ同士は擦れずに、透明テープ９ａ及び透明テープ９ｃの表面同士が擦れることとなる。これにより、印刷部位６ａの損傷を防止することができる。
【００２４】
このように構成した包装箱１においては、被包装物であるテレビ５のコーナーに備えられた緩衝ブロック１１が箱内壁面と当接する面１１ａと対応する箱外側面の領域１０ａ上に施された印刷部位６ａと、この当該印刷部位６ａに貼り付けられた透明テープ９ａを備え、包装箱１に横方向や上下方向からの力が加わった場合に、箱外側面において最も摩擦力が発生する部分を透明テープ９ａ同士が擦れる構成としたため、当該部分における印刷部位６ａが直接擦れることを防止でき、これより、印刷部位６ａ全体の損傷を回避することが可能となる。また、包装材の全体をコーティングする必要がないため、包装材をより安く製造することができ、市販の透明テープを用いて貼り付ける構成としているため、使用後の包装材との分離作業にも手間が掛からない。
【００２５】
また、包装箱１を積み重ねた場合、下段の方の包装箱１は、積み重ねられたテレビ５の重圧によって包装箱１の縦折目線７が上部より破れたり変形したりすることがあるが、上述のように透明テープ９を縦折目線７を挟んで貼り付ける構成としているため、輸送時に、下段の方の包装箱１において縦折目線７に破れが生じるのを防止するという効果も発揮できる。
【００２６】
上記では、被包装物であるテレビ５のコーナー四ヶ所に緩衝ブロック１１が備えられた場合について説明したが、横長で低い製品、例えばＤＶＤを被包装物とする包装箱にあっては、ＤＶＤの側面全体を覆う緩衝ブロックが一般的に用いられている。この場合においては、緩衝ブロックが箱内壁面の全面に当接しているため、透明テープ９を上方角部以外の領域上にも貼り付ける構成とすれば、同様の効果を発揮することができるため、透明テープ９を側面２の上方角部に貼り付ける必要はなく、緩衝ブロック１１が箱内壁面に当接する位置に応じて側面２における透明テープ９の貼付場所を変動させてもよい。
【００２７】
さらに、透明テープ９の表面に潤滑性を備えたものを使用すれば、輸送中の振動によって接触した透明テープ９の表面が擦れた場合の摩擦抵抗を下げることで、透明テープ９の擦れや汚れを防止でき、本発明の包装箱の効用期間を長くすることが可能となる。
【００２８】
実施の形態２
次に、包装箱１として紙のダンボール材で製作された箱（以下、ダンボール箱という）を用いる場合にあっては、側面２の領域上に貼り付けられる透明テープ９の厚さをダンボール材の厚さに応じた所定値以上となるように備えるものとする。
【００２９】
通常の紙のダンボール材は、片面又は両面からなる紙製のライナーと波型に成形した紙製の中芯とが張り合わされた構成となっており、中芯はその波型の頂上部においてライナーと接しているため、ライナーの面に対して垂直方向の外力が加わると、力が加わった部分の中芯が圧縮されて波型が潰れてしまう。この結果、垂直方向に外力が加わった部分と外力が加わらなかった部分とではダンボール材の厚さに差異が生じることとなる。例えば、厚さが５ミリメートルのダンボール材に垂直方向に外力を加えると、外力を加えた部分の厚さは３ミリメートル程度まで圧縮されることが一般的に知られている。この場合、側面２の領域上に貼り付けられる透明テープ９の厚さが２ミリメートル以上となるようにしておけば、図５及び図６に示すようにダンボール箱１同士を積み重ねた状態で横方向の力を加え、この押圧力によって前面２１の領域内のダンボール材が３ミリメートル程度に圧縮したとしても、この圧縮幅に相当する２ミリメートル以上の厚さを備える透明テープ９の表面が接触するため、押圧力が分散されずにすむ。
【００３０】
このように、ダンボール材の厚さから得られる圧縮幅に応じて、この圧縮幅以上の厚さを備えた透明テープ９を貼り付ける構成とすることにより、ダンボール箱１を用いた場合の輸送時における印刷部位６の損傷を防止することができる。
【００３１】
尚、所定の厚さを備えた透明テープ９を得る方法としては、市販のポリプロピレンフィルム粘着テープやビニクロステープ、セロテープ等を何層にも重ねて領域上に貼り付けて形成する方法や、予め所定の厚さを備えた透明テープ９を用いる方法がある。
【００３２】
実施の形態３
上記では、側面２の上方角部における領域上にのみ透明テープ９を貼り付ける構成について説明したが、図８に示すように側面２に印刷部位６が施された包装箱１の展開体１２において、側面２と天面３に連接する横折目線８に沿って、領域を含むように全周に亘って透明テープ９を予め貼り付ける構成としてもよい。この場合、包装箱１の展開体１２の製造過程において、位置や寸法等に応じて透明テープ９を個々に貼り付ける作業を簡素化することができるため、安価に発明の効果を奏する包装箱１を提供することが可能となる。
【図面の簡単な説明】
【００３３】
【図１】この発明に係る包装箱の組立後の構成を示す斜視図である。
【図２】図１に示す包装箱を開梱して非包装物を取り出した状態を示す斜視図である。
【図３】図１に示す包装箱の一部を拡大した図である。
【図４】図１に示す包装箱の組立前の展開体を示す図である。
【図５】図１に示す包装箱同士を積み重ねた状態を示す斜視図である。
【図６】図５に示す包装箱のＡＡ線上の断面図である。
【図７】図６に示す包装箱に振動を与えた状態の動作を示す側面の拡大断面図である。
【図８】この発明に係る包装箱の別の実施形態の組立前の展開体を示す図である。
【符号の説明】
【００３４】
１  包装箱、２  側面、２１  前面、２２側面  ２３  後面、２４  側面、３  天面、３１  内フラップシート、３２  外フラップシート、４  底面、５  非包装物、６  印刷部位、７  縦折目線、８  横折目線、９  透明テープ、１０  領域、１１  緩衝ブロック、１２  展開体、１３  空隙
【図１】
2005271989.tif 000003
【図２】
2005271989.tif 000004
【図３】
2005271989.tif 000005
【図４】
2005271989.tif 000006
【図５】
2005271989.tif 000007
【図６】
2005271989.tif 000008
【図７】
2005271989.tif 000009
【図８】
2005271989.tif 000010